(57)【要約】【課題】光コネクタプラグをスムーズに挿入することができる光コネクタを提供する。【解決手段】一実施形態に係る光コネクタは、複数のアダプタに方向Ｄ１に沿って一括して接続される複数の光コネクタプラグ１０を備えた光コネクタであって、各光コネクタプラグ１０は、光ファイバを保持する筒状のフェルール１１を備え、フェルール１１の直径Ａ１は、光コネクタの国際規格で定められたフェルールの直径よりも小さい。【選択図】図３
2018205348.tif 000002
【特許請求の範囲】
【請求項１】
複数のアダプタに接続方向に沿って一括して接続される複数の光コネクタプラグを備えた光コネクタであって、
各前記光コネクタプラグは、光ファイバを保持する筒状のフェルールを備え、
前記フェルールの直径は、光コネクタの国際規格で定められたフェルールの直径よりも小さい、
光コネクタ。
【請求項２】
複数のアダプタに接続方向に沿って一括して接続される複数の光コネクタプラグを備えた光コネクタであって、
各前記光コネクタプラグは、光ファイバを保持するフェルールと、前記フェルールを前記接続方向に付勢するバネと、を備え、
前記バネの荷重は、光コネクタの国際規格で定められたバネの荷重よりも小さい、
光コネクタ。
【請求項３】
複数のアダプタに接続方向に沿って一括して接続される複数の光コネクタプラグを備えた光コネクタであって、
各前記光コネクタプラグは、前記光コネクタプラグを前記アダプタに係合する板状のラッチ機構を有し、
前記ラッチ機構の幅及び厚さの少なくともいずれかは、光コネクタの国際規格で定められたラッチ機構の幅及び厚さの少なくともいずれかよりも小さい、
光コネクタ。
【請求項４】
複数のアダプタに接続方向に沿って一括して接続される複数の光コネクタプラグを備えた光コネクタであって、
各前記光コネクタプラグは、光ファイバを保持するフェルールと、前記光コネクタプラグ及び前記アダプタの位置決めを行うガイドピンと、
を備え、
前記ガイドピンの太さは、光コネクタの国際規格で定められたガイドピンの太さよりも細い、
光コネクタ。
【請求項５】
複数のアダプタに接続方向に沿って一括して接続される複数の光コネクタプラグを備えた光コネクタであって、
各前記光コネクタプラグは、光ファイバを保持するフェルールを備え、
前記フェルールは、前記光コネクタプラグ及び前記アダプタの位置決めを行うガイドピンが挿入されるガイド孔を有し、
前記ガイド孔の直径は、光コネクタの国際規格で定められたガイド孔の直径よりも大きい、
光コネクタ。
【発明の詳細な説明】
【技術分野】
【０００１】
本発明は、一括して接続される複数の光コネクタプラグを備えた光コネクタに関する。
【背景技術】
【０００２】
特許文献１には、複数の光コネクタプラグを一括して挿抜する光コネクタが記載されている。光コネクタは、３つのプラグユニットと、３つのプラグユニットの周囲を覆うハウジングと、ハウジングの内側で３つのプラグユニットを支持する支持平板と、を備える。３つのプラグユニットのそれぞれは、アダプタとの係合を行うロック機構（ラッチ機構）を備える。
【先行技術文献】
【特許文献】
【０００３】
【特許文献１】特開２０１２−２４２７８１号公報
【発明の概要】
【発明が解決しようとする課題】
【０００４】
前述の光コネクタでは、光コネクタプラグとアダプタとが係合する箇所が複数存在する。この光コネクタでは、全ての光コネクタプラグのそれぞれにラッチ機構が設けられている。ところで、多くのラッチ機構が設けられている場合、光コネクタプラグの挿入時に、挿入抵抗が大きくなるという問題がある。よって、光コネクタプラグの数が多い場合には、光コネクタプラグをスムーズに挿入できなくなる懸念がある。
【０００５】
本発明の一側面は、光コネクタプラグをスムーズに挿入することができる光コネクタを提供することを目的とする。
【課題を解決するための手段】
【０００６】
本発明の一側面に係る光コネクタは、複数のアダプタに接続方向に沿って一括して接続される複数の光コネクタプラグを備えた光コネクタであって、各光コネクタプラグは、光ファイバを保持する筒状のフェルールを備え、フェルールの直径は、光コネクタの国際規格で定められたフェルールの直径よりも小さい。
【０００７】
本発明の別の側面に係る光コネクタは、複数のアダプタに接続方向に沿って一括して接続される複数の光コネクタプラグを備えた光コネクタであって、各光コネクタプラグは、光ファイバを保持するフェルールと、フェルールを接続方向に付勢するバネと、を備え、バネの荷重は、光コネクタの国際規格で定められたバネの荷重よりも小さい。
【０００８】
本発明の更に別の側面に係る光コネクタは、複数のアダプタに接続方向に沿って一括して接続される複数の光コネクタプラグを備えた光コネクタであって、各光コネクタプラグは、光コネクタプラグをアダプタに係合する板状のラッチ機構を有し、ラッチ機構の幅及び厚さの少なくともいずれかは、光コネクタの国際規格で定められたラッチ機構の幅及び厚さの少なくともいずれかよりも小さい。
【０００９】
本発明の更に別の側面に係る光コネクタは、複数のアダプタに接続方向に沿って一括して接続される複数の光コネクタプラグを備えた光コネクタであって、各光コネクタプラグは、光ファイバを保持するフェルールと、光コネクタプラグ及びアダプタの位置決めを行うガイドピンと、を備え、ガイドピンの太さは、光コネクタの国際規格で定められたガイドピンの太さよりも細い。
【００１０】
本発明の更に別の側面に係る光コネクタは、複数のアダプタに接続方向に沿って一括して接続される複数の光コネクタプラグを備えた光コネクタであって、各光コネクタプラグは、光ファイバを保持するフェルールを備え、フェルールは、光コネクタプラグとアダプタとの位置決めを行うガイドピンが挿入されるガイド孔を有し、ガイド孔の直径は、光コネクタの国際規格で定められたガイド孔の直径よりも大きい。
【発明の効果】
【００１１】
本発明によれば、光コネクタプラグをスムーズに挿入することができる。
【図面の簡単な説明】
【００１２】
【図１】図１は、第１実施形態に係る光コネクタを示す斜視図である。
【図２】図２は、図１の光コネクタを示す側面図である。
【図３】図３は、図１の光コネクタの光コネクタプラグ及びホルダを示す断面図である。
【図４】図４は、図３の光コネクタプラグを示す正面図である。
【図５】図５は、第２実施形態の光コネクタプラグを示す断面図である。
【図６】図６は、第２実施形態のアダプタ及び図５の光コネクタプラグを示す正面図である。
【図７】図７は、第３実施形態の光コネクタプラグ及びアダプタを示す断面図である。
【図８】図８は、図７の光コネクタプラグ及びアダプタを示す正面図である。
【図９】図９は、第４実施形態に係る光コネクタプラグを示す正面図である。
【発明を実施するための形態】
【００１３】
［本発明の実施形態の説明］
最初に、本発明の実施形態の内容を列記して説明する。本発明の一実施形態に係る光コネクタは、複数のアダプタに接続方向に沿って一括して接続される複数の光コネクタプラグを備えた光コネクタであって、各光コネクタプラグは、光ファイバを保持する筒状のフェルールを備え、フェルールの直径は、光コネクタの国際規格で定められたフェルールの直径よりも小さい。一実施形態に係る光コネクタでは、フェルールの直径が国際規格で定められたフェルールの直径よりも小さい。従って、複数の光コネクタプラグの各フェルールを各ガイド孔に挿入しやすくすることができる。よって、光コネクタプラグをスムーズに挿入することができる。
【００１４】
本発明の別の実施形態に係る光コネクタは、複数のアダプタに接続方向に沿って一括して接続される複数の光コネクタプラグを備えた光コネクタであって、各光コネクタプラグは、光ファイバを保持するフェルールと、フェルールを接続方向に付勢するバネと、を備え、バネの荷重は、光コネクタの国際規格で定められたバネの荷重よりも小さい。この光コネクタでは、フェルールを接続方向に付勢するバネの荷重が国際規格で定められたバネの荷重よりも小さい。よって、接続するときに付与されるバネの荷重による抵抗を小さくすることができるので、光コネクタプラグをスムーズに挿入することができる。
【００１５】
本発明の更に別の実施形態に係る光コネクタは、複数のアダプタに接続方向に沿って一括して接続される複数の光コネクタプラグを備えた光コネクタであって、各光コネクタプラグは、光コネクタプラグをアダプタに係合する板状のラッチ機構を有し、ラッチ機構の幅及び厚さの少なくともいずれかは、光コネクタの国際規格で定められたラッチ機構の幅及び厚さの少なくともいずれかよりも小さい。ラッチ機構の幅及び厚さの少なくともいずれかが国際規格で定められた幅及び厚さよりも小さいことにより、ラッチ機構を撓みやすくすることができる。よって、ラッチ機構の係合のときに必要な力を小さくすることができるので、光コネクタプラグをスムーズに挿入することができる。
【００１６】
本発明の更に別の実施形態に係る光コネクタは、複数のアダプタに接続方向に沿って一括して接続される複数の光コネクタプラグを備えた光コネクタであって、各光コネクタプラグは、光ファイバを保持するフェルールと、光コネクタプラグ及びアダプタの位置決めを行うガイドピンと、を備え、ガイドピンの太さは、光コネクタの国際規格で定められたガイドピンの太さよりも細い。この光コネクタでは、アダプタ側に形成されたガイド孔に挿入されるガイドピンの太さが国際規格で定められた太さよりも細いので、ガイド孔にスムーズにガイドピンを挿入することができる。従って、アダプタに対する光コネクタプラグの挿入をスムーズに行うことができる。
【００１７】
本発明の更に別の実施形態に係る光コネクタは、複数のアダプタに接続方向に沿って一括して接続される複数の光コネクタプラグを備えた光コネクタであって、各光コネクタプラグは、光ファイバを保持するフェルールを備え、フェルールは、光コネクタプラグ及びアダプタの位置決めを行うガイドピンが挿入されるガイド孔を有し、ガイド孔の直径は、光コネクタの国際規格で定められたガイド孔の直径よりも大きい。この光コネクタでは、アダプタ側に設けられたガイドピンが挿入するガイド孔の直径が国際規格で定められた直径よりも大きいので、ガイドピンはガイド孔にスムーズに挿入される。従って、アダプタへの光コネクタプラグの挿入をスムーズに行うことができる。
【００１８】
［本発明の実施形態の詳細］
本発明の実施形態に係る光コネクタの具体例を図面を参照しつつ説明する。本発明は、以下の例示に限定されるものではなく、特許請求の範囲によって示され、特許請求の範囲と均等の範囲における全ての変更が含まれることが意図される。図面の説明において同一又は相当する要素には同一の符号を付し、重複する説明を適宜省略する。
【００１９】
本明細書において、「光コネクタの国際規格」は、ＬＣコネクタの規格であるＩＥＣ  ６１７５４−２０（Fibre optic connector interfaces - Part 20: Type LC connector family）、ＳＣコネクタの規格であるＩＥＣ６１７５４−４（Fibre optic interconnecting devices and passive components - Fibreoptic connector interfaces - Part 4 : Type SC connector family）、及びＭＰＯコネクタの規格であるＩＥＣ６１７５４−７（Fibre optic interconnecting devices and passive components - Fibreoptic connector interfaces - Part 7-1 : Type MPO connector family - One fibrerow）を含む。
【００２０】
（第１実施形態）
図１は、第１実施形態に係る光コネクタ１を示す斜視図である。図２は、光コネクタ１の側面図である。光コネクタ１は、例えば、複数のデータセンタ間の光通信の検査を行う検査装置に含まれる検査用の光コネクタである。データセンタのラックには複数の光ファイバが融着された光配線架が設けられている。光配線架に配置された複数のアダプタに光コネクタ１が接続されることにより、上記の光通信の検査が行われる。
【００２１】
近年、データ通信量の増加に伴い前述した光配線架の多心化が進んでおり、アダプタの数も増加の一途を辿っている。例えば、１つの光配線架に設けられたアダプタの数は２８８個である。光コネクタ１は、複数のアダプタに対して一括して挿抜が行われるものであるため、アダプタの数が多くても挿抜にかかる時間を低減することが可能となる。
【００２２】
光コネクタ１は、各アダプタに接続する１２個の光コネクタプラグ１０と、光コネクタプラグ１０を保持するホルダ１５と、ホルダ１５が固定される支持部材１６と、を備える。光コネクタ１は、接続方向である方向Ｄ１に沿ってアダプタに接続する。光コネクタプラグ１０及びアダプタは、方向Ｄ１に交差する方向Ｄ２に沿って配列される。方向Ｄ１は、例えば、ホルダ１５から光コネクタプラグ１０が突出する方向であり、方向Ｄ２は、方向Ｄ１に直交する方向である。
【００２３】
また、複数の光コネクタプラグ１０は、方向Ｄ２に沿って配置されると共に、方向Ｄ１及び方向Ｄ２に交差する方向Ｄ３に沿って配置される。具体例として、方向Ｄ２に沿って６個の光コネクタプラグ１０が配置されると共に、方向Ｄ３に沿って２個の光コネクタプラグ１０が配置される。方向Ｄ３は、方向Ｄ１及び方向Ｄ２に延びる平面に交差する方向であり、例えば、方向Ｄ１及び方向Ｄ２に延びる平面に直交している。
【００２４】
光コネクタプラグ１０は、ＬＣコネクタである。光コネクタプラグ１０は、光ファイバを保持するフェルール１１と、フェルール１１を収容するフロントハウジング１２と、光コネクタプラグ１０をアダプタに係合するラッチ機構１３とを備える。なお、以降の説明では、フェルール１１に対してアダプタが設けられる方向を前方、その反対方向を後方、として説明することがある。
【００２５】
例えば、複数の光コネクタプラグ１０のうち、一部の光コネクタプラグ１０から延びるフェルール１１は、残部の光コネクタプラグ１０から延びるフェルール１１よりもアダプタ側に位置する。すなわち、一部のフェルール１１の端部は、残部のフェルール１１の端部よりも突出量Ｄだけ突出している。突出量Ｄの値は、例えば０．１ｍｍ以上且つ０．５ｍｍ以下であるが、適宜変更可能である。
【００２６】
本実施形態では、方向Ｄ２の両端側に位置するフェルール１１が方向Ｄ２の中央側に位置するフェルール１１よりもアダプタ側に突出している。具体例として、方向Ｄ２の両端側の８個のフェルール１１は、方向Ｄ２の中央側の４個のフェルール１１よりもアダプタ側に突出している。なお、アダプタ側に突出するフェルール１１を備えた光コネクタプラグ１０の個数及び配置態様は適宜変更可能である。
【００２７】
このように、一部の光コネクタプラグ１０のフェルール１１が、残部の光コネクタプラグ１０のフェルール１１よりも突出することにより、方向Ｄ１における光コネクタプラグ１０の実装位置に差が設けられる。従って、アダプタへの挿入時に各光コネクタプラグ１０に生じる挿入抵抗のタイミングをずらすことが可能となり、挿入抵抗の集中を避けることができる。
【００２８】
ホルダ１５は、方向Ｄ３に並ぶ複数の光コネクタプラグ１０を一括して保持する。ホルダ１５は方向Ｄ２に沿って配列されており、各ホルダ１５は支持部材１６に固定されている。例えば、６個のホルダ１５が設けられており、各ホルダ１５は２個の光コネクタプラグ１０を保持する。
【００２９】
支持部材１６は、方向Ｄ２の中央側に位置する４つの光コネクタプラグ１０をアダプタ側に押圧する押圧部１８を備えていてもよい。支持部材１６は、例えば、板状とされている。支持部材１６は、各ホルダ１５を固定する主面１６ａを有し、主面１６ａは、方向Ｄ３の一方側に向けられる。例えば、方向Ｄ２の両端側に位置する４つのホルダ１５は、残り２つのホルダ１５よりもアダプタ側に突出する。
【００３０】
支持部材１６は、光コネクタプラグ１０の後方に位置する把持部１７を備える。把持部１７は、支持部材１６を貫通する開口によって形成されており、当該開口に指を入れて把持部１７を握ることにより、把持しやすい形状とされている。把持部１７を形成する開口は、例えば、方向Ｄ２に沿って延びる長円形である。
【００３１】
図３は、光コネクタプラグ１０を拡大して示す断面図である。図４は、光コネクタプラグ１０を前方から見た正面図である。図３及び図４に示されるように、ラッチ機構１３は、方向Ｄ１に沿うと共に、斜め上方に延びる板状とされている。ラッチ機構１３は、例えば樹脂材料によって構成されている。ラッチ機構１３は、ホルダ１５に当接する当接部１３ａと、アダプタに係合する係合部１３ｂと、フロントハウジング１２に固定された固定部１３ｃとを備える。当接部１３ａ、係合部１３ｂ及び固定部１３ｃは、この順で後方から前方に並んで設けられる。
【００３２】
光コネクタプラグ１０及びホルダ１５には、所謂プッシュプル機構が設けられている。このプッシュプル機構により、方向Ｄ１にホルダ１５を引き抜くことで光コネクタプラグ１０をアダプタから引き抜くことができる。光コネクタプラグ１０は、例えば、ホルダ１５に対して方向Ｄ１にスライド可能とされている。
【００３３】
ラッチ機構１３は、固定部１３ｃを基点として方向Ｄ２に撓む。よって、当接部１３ａは方向Ｄ２に沿って移動可能である。ホルダ１５の当接部１３ａと当接する部分には、方向Ｄ１及び方向Ｄ２に対して傾斜する傾斜面１５ａが形成されている。ホルダ１５の引き抜きに伴ってホルダ１５が後方にスライドすると、傾斜面１５ａによって当接部１３ａが押し下げられる。その結果、ラッチ機構１３全体が押し下げられることにより、係合部１３ｂとアダプタとの係合が解除される。そして、光コネクタプラグ１０をアダプタから引き抜くことが可能となる。
【００３４】
ラッチ機構１３の厚さＡ２、及びラッチ機構１３の幅Ａ３は、共に、ＬＣコネクタの規格で定められた値よりも小さくなっている。例えば、厚さＡ２は０．４ｍｍ以上且つ０．６ｍｍ未満であり、幅Ａ３は２．０ｍｍ以上且つ３．２ｍｍ未満である。また、フェルール１１の直径Ａ１は、ＬＣコネクタの規格で定められた直径より小さくなっており、例えば、１．２４６ｍｍ以上且つ１．２４８ｍｍ以下である。
【００３５】
次に、本実施形態に係る光コネクタ１から得られる作用効果について説明する。
【００３６】
光コネクタ１は、複数のアダプタに方向Ｄ１に沿って一括して接続される光コネクタプラグ１０を備える。各光コネクタプラグ１０は、光ファイバを保持する筒状のフェルール１１を備え、フェルール１１の直径Ａ１は、国際規格（ＬＣコネクタの規格）で定められたフェルールの直径よりも小さい。従って、複数の光コネクタプラグ１０の各フェルール１１を挿入しやすくすることができる。よって、光コネクタプラグ１０をスムーズに挿入することができる。
【００３７】
また、各光コネクタプラグ１０は、光コネクタプラグ１０をアダプタに係合するラッチ機構１３を有し、ラッチ機構１３の厚さＡ２及び幅Ａ３は、国際規格で定められたラッチ機構の厚さ及び幅よりも小さい。このように厚さＡ２及び幅Ａ３が国際規格で定められた値よりも小さいことにより、ラッチ機構１３を撓みやすくすることができる。よって、ラッチ機構１３の係合のときに必要な力を小さくすることができるので、光コネクタプラグ１０をスムーズに挿入することができる。
【００３８】
（第２実施形態）
次に、第２実施形態に係る光コネクタプラグ３０及びアダプタ４０について図５及び図６を参照しながら説明する。以下では、前述した内容と重複する説明を適宜省略する。光コネクタプラグ３０及びアダプタ４０は、ＳＣコネクタの規格に準拠している。光コネクタプラグ３０は、光ファイバを保持するフェルール３１と、フェルール３１を収容するフロントハウジング３２と、フェルール３１を付勢するバネ３５とを備える。バネ３５の荷重は、ＳＣコネクタの規格で定められたバネの荷重よりも小さく、例えば、６．０Ｎ以上且つ９．８Ｎ未満である。
【００３９】
フェルール３１は、筒状を成している。フロントハウジング３２は、フェルール３１を収容する収容凹部３３を有する。また、フロントハウジング３２の前側から見たときの形状は、四角形状となっている。フロントハウジング３２の一対の表面にはアダプタ４０に係合する係合凹部３４が形成される。係合凹部３４が設けられるフロントハウジング３２の一対の表面間における距離Ａ４は、ＳＣコネクタの規格で定められた当該距離よりも小さくなっている。距離Ａ４は、例えば、８．６０ｍｍ以上且つ８．８９ｍｍ未満である。
【００４０】
アダプタ４０は、フェルール３１が挿入されるスリーブ４１と、光コネクタプラグ３０と係合するラッチ機構４２と、スリーブ４１及びラッチ機構４２を収容するハウジング４３とを備える。ラッチ機構４２は、光コネクタプラグ３０の係合凹部３４に対応する位置に一対に設けられる。ラッチ機構４２は、係合凹部３４に係合する係合突起４２Ａを有する。一対のラッチ機構４２間の距離Ａ５は、ＳＣコネクタの規格で定められた当該距離より小さくなっており、例えば、８．６０ｍｍ以上且つ８．８９ｍｍ未満である。
【００４１】
以上、第２実施形態において、光コネクタプラグ３０は、光ファイバを保持するフェルール３１と、フェルール３１を方向Ｄ１に付勢するバネ３５と、を備え、バネ３５の荷重は、光コネクタの国際規格（ＳＣコネクタの規格）で定められたバネの荷重よりも小さい。すなわち、フェルール３１を方向Ｄ１に付勢するバネ３５の荷重が国際規格で定められた荷重よりも小さい。よって、接続するときに付与されるバネ３５の荷重による抵抗を小さくすることができるので、光コネクタプラグ３０をスムーズに挿入することができる。
【００４２】
なお、第１実施形態のＬＣコネクタの光コネクタプラグ１０もフェルール１１を付勢するバネを備えるが、このＬＣコネクタのバネの荷重が上記のように小さくてもよい。例えば、光コネクタプラグ１０のバネの荷重は、ＬＣコネクタの規格で定められたバネの荷重よりも小さく、例えば、３．０Ｎ以上且つ４．９Ｎ未満である。
【００４３】
また、係合凹部３４が設けられるフロントハウジング３２の一対の表面間における距離Ａ４は、ＳＣコネクタの規格で定められた当該距離より小さい。よって、アダプタ４０のラッチ機構４２の変形量を小さくすることができるので、アダプタ４０への光コネクタプラグ３０の挿入抵抗を小さくすることができる。また、一対のラッチ機構４２間の距離Ａ５は、ＳＣコネクタの規格で定められた当該距離より小さい。よって、ラッチ機構４２が薄くなってラッチ機構４２が変形しやすくなるので、アダプタ４０に対する光コネクタプラグ３０の挿入抵抗を小さくすることができる。
【００４４】
（第３実施形態）
続いて、第３実施形態に係る光コネクタプラグ５０及びアダプタ６０について図７及び図８を参照しながら説明する。光コネクタプラグ５０及びアダプタ６０は、ＭＰＯコネクタの規格に準拠している。光コネクタプラグ５０は、光ファイバを保持するフェルール５１と、光コネクタプラグ５０及びアダプタ６０の位置決めを行うガイドピン５２と、フェルール５１を収容するフロントハウジング５３とを備える。
【００４５】
フェルール５１は、矩形状を成している。フロントハウジング５３の表面にはアダプタ６０に係合する係合凹部５４及び係合突起５５が設けられる。係合凹部５４は係合突起５５の後側に設けられる。前側から見たときのフロントハウジング５３の形状は、短辺が膨張するように湾曲した四角形状とされており、フロントハウジング５３の一対の表面に係合凹部５４及び係合突起５５が設けられる。
【００４６】
一対の係合突起５５の間の距離Ａ６は、ＭＰＯコネクタの規格で定められた当該距離よりも小さく、例えば、９．２９ｍｍ以上且つ９．４９ｍｍ未満である。また、ガイドピン５２の直径Ｒ１は、ＭＰＯコネクタの規格で定められた直径よりも小さく、例えば、０．６９７ｍｍ以上且つ０．６９９ｍｍ未満である。
【００４７】
アダプタ６０は、光コネクタプラグ５０を収容する角筒状のハウジング６１を備える。ハウジング６１は、その内側に、光コネクタプラグ５０が係合する一対の係合突起６１ａ、及びフロントハウジング５３のキー突起５３ａが入り込む溝部６１ｂを備える。係合突起６１ａは、係合凹部５４に対応して設けられており、一対の係合突起６１ａが各係合凹部５４に係合する。
【００４８】
一対の係合突起６１ａの根元間の距離Ａ７は、ＭＰＯコネクタの規格で定められた距離よりも大きくなっている。距離Ａ７は、例えば、９．０ｍｍより大きく且つ９．６ｍｍ以下である。各係合突起６１ａの幅Ａ８は、ＭＰＯコネクタの規格で定められた幅よりも小さくなっている。幅Ａ８は、２．０ｍｍ以上且つ２．４ｍｍ未満である。
【００４９】
以上、第３実施形態において、光コネクタプラグ５０は、光ファイバを保持するフェルール５１と、光コネクタプラグ５０及びアダプタ６０の位置決めを行うガイドピン５２とを備え、ガイドピン５２の太さは、光コネクタの国際規格（ＭＰＯコネクタの規格）で定められたガイドピンの太さよりも細い。よって、アダプタ６０側に形成されたガイド孔に挿入されるガイドピン５２の太さが国際規格で定められた太さよりも細いので、ガイド孔にスムーズにガイドピン５２を挿入することができる。従って、アダプタ６０に対する光コネクタプラグ５０の挿入をスムーズに行うことができる。
【００５０】
一対の係合突起６１ａの根元間の距離Ａ７は、ＭＰＯコネクタの規格で定められた距離よりも大きい。これにより、アダプタ６０の係合突起６１ａの変形量を小さくすることができるので、アダプタ６０への光コネクタプラグ５０の挿入抵抗を小さくすることができる。各係合突起６１ａの幅Ａ８は、ＭＰＯコネクタの規格で定められた幅よりも小さくなっている。よって、係合突起６１ａの変形反力を小さくすることができるので、アダプタ６０への光コネクタプラグ５０の挿入抵抗を小さくすることができる。
【００５１】
（第４実施形態）
次に、第４実施形態に係る光コネクタプラグ７０について図９を参照しながら説明する。光コネクタプラグ７０は、光コネクタプラグ５０のガイドピン５２に代えてガイド孔７２が設けられる点が第３実施形態と異なっている。ガイド孔７２に挿入されるガイドピンはアダプタ側に設けられている。ガイド孔７２の直径Ｒ２は、ＭＰＯコネクタの規格で定められた直径よりも大きい。直径Ｒ２は、例えば、０．７０１ｍｍより大きく且つ０．７０３ｍｍ以下である。
【００５２】
第４実施形態に係る光コネクタプラグ７０では、ガイド孔７２の直径Ｒ２が、光コネクタの国際規格（ＭＰＯコネクタの規格）で定められたガイド孔の直径よりも大きい。すなわち、アダプタ側に設けられたガイドピンが挿入するガイド孔７２の直径Ｒ２が国際規格で定められた直径よりも大きいので、ガイドピンはガイド孔７２にスムーズに挿入される。従って、アダプタへの光コネクタプラグ７０の挿入をスムーズに行うことができる。
【００５３】
以上、本発明の実施形態について説明したが、本発明は、前述の実施形態に限定されず、種々の変更を行うことができる。例えば、光コネクタプラグの各部の形状、大きさ、材料、数及び配置態様については、前述した実施形態に限定されず適宜変更可能である。
【００５４】
また、前述の実施形態では、一部の光コネクタプラグ１０のフェルール１１が、残部の光コネクタプラグ１０のフェルール１１よりもアダプタ側に突出する光コネクタ１について説明した。しかしながら、一部の光コネクタプラグのフェルールがアダプタ側に突出しない光コネクタであってもよい。
【００５５】
また、前述の実施形態では、厚さＡ２及び幅Ａ３が国際規格の厚さ及び幅よりも小さいラッチ機構１３を備えた光コネクタプラグ１０について説明した。しかしながら、厚さ及び幅のいずれかのみが国際規格の厚さ又は幅よりも小さい光コネクタプラグを備えていてもよい。更に、光コネクタの各部の形状、大きさ、材料、数及び配置態様については前述した実施形態に限られず適宜変更可能である。
【符号の説明】
【００５６】
１…光コネクタ、１０，３０，５０，７０…光コネクタプラグ、１１，３１，５１…フェルール、１２，３２，５３…フロントハウジング、１３，４２…ラッチ機構、１３ａ…当接部、１３ｂ…係合部、１３ｃ…固定部、１５…ホルダ、１５ａ…傾斜面、１６…支持部材、１６ａ…主面、１７…把持部、１８…押圧部、３３…収容凹部、３４，５４…係合凹部、３５…バネ、４０，６０…アダプタ、４２Ａ，５５，６１ａ…係合突起、４３…ハウジング、５２…ガイドピン、５３ａ…キー突起、６１ｂ…溝部、７２…ガイド孔、Ａ１…直径、Ａ２…厚さ、Ａ３…幅、Ａ４〜Ａ７…距離、Ｄ…突出量、Ｄ１〜Ｄ３…方向、Ｒ１，Ｒ２…直径。
【図１】
2018205348.tif 000003
【図２】
2018205348.tif 000004
【図３】
2018205348.tif 000005
【図４】
2018205348.tif 000006
【図５】
2018205348.tif 000007
【図６】
2018205348.tif 000008
【図７】
2018205348.tif 000009
【図８】
2018205348.tif 000010
【図９】
2018205348.tif 000011